(57)【要約】 【課題】  配線交換作業や回線切り分け作業等が容易になり、更に配線管理が簡単且つ的確に行える配線管理システムを提供する。【解決手段】  配線管理システムは、複数の配線端末部を相互に着脱自在に接続するコネクタ１５が収納された配線盤１０を備えている。各配線端末部毎に、又は各配線端末部に対応するコネクタ１５には、無線周波数識別タグ（ＲＦＩＤタグ）２０−３がそれぞれ装着されている。ＲＦＩＤタグ２０−３は、非接触で携帯型リーダライタ４０から供給される電源電力により駆動して、そのリーダライタ４０から無線により供給される配線接続データを記憶する書き替え可能なタグである。リーダライタ４０のアンテナ３５は、コネクタ１５の着脱を行う配線着脱治具３０に接続されている。管理装置６０は、リーダライタ４０に対して無線により配線接続データの送受信を行い、配線盤１０の配線接続状態を管理する。【選択図】  図１
2005204412.tif 000002
【特許請求の範囲】
【請求項１】
複数の配線端末部を相互に着脱自在に接続する配線接続部が収納された配線盤と、
前記各配線端末部毎に又は前記各配線端末部に対応する前記配線接続部に、それぞれ装着され、非接触で外部から供給される電源電力により駆動して前記外部から無線により供給される配線接続データを記憶する書き替え可能な無線周波数識別タグと、
前記無線周波数識別タグに対して電波の送受信を行うアンテナを有し、前記配線接続部に対する前記配線端末部の着脱を行う配線着脱治具と、
前記アンテナに接続され、前記アンテナを介して前記無線周波数識別タグに対して前記電源電力を非接触で供給すると共に、前記アンテナを介して無線により前記無線周波数識別タグに対して前記配線接続データの読み出し及び書き込みを行う携帯型のリーダライタと、
コンピュータシステムで構成され、前記リーダライタに対して無線により前記配線接続データの送受信を行い、前記配線接続データに基づき、前記配線盤における前記配線端末部の接続状態を管理する管理装置と、
を備えたことを特徴とする配線管理システム。
【請求項２】
筐体内に複数段のトレーが出し入れ自在に収納され、前記各トレー内に、複数の配線端末部を相互に着脱自在に接続する配線接続部がそれぞれ収納された配線盤と、
前記各配線端末部毎に又は前記各配線端末部に対応する前記配線接続部に、それぞれ装着され、非接触で外部から供給される電源電力により駆動して前記外部から無線により供給される配線接続データを記憶する書き替え可能な無線周波数識別タグと、
前記無線周波数識別タグに対して電波の送受信を行うアンテナを有し、前記配線接続部に対する前記配線端末部の着脱を行う配線着脱治具と、
前記アンテナに接続され、前記アンテナを介して前記無線周波数識別タグに対して前記電源電力を非接触で供給すると共に、前記アンテナを介して無線により前記無線周波数識別タグに対して前記配線接続データの読み出し及び書き込みを行う携帯型のリーダライタと、
コンピュータシステムで構成され、前記リーダライタに対して無線により前記配線接続データの送受信を行い、前記配線接続データに基づき、前記配線盤における前記配線端末部の接続状態を管理する管理装置と、
を備えたことを特徴とする配線管理システム。
【請求項３】
筐体内に複数段のトレーが出し入れ自在に収納され、前記各トレー内に、複数の配線端末部を相互に着脱自在に接続する配線接続部がそれぞれ収納された配線盤と、
前記配線盤に装着され、非接触で外部から供給される電源電力により駆動して前記外部から無線により供給される第１の配線接続データを記憶する書き替え可能な第１の無線周波数識別タグと、
前記各トレーにそれぞれ装着され、非接触で前記外部から供給される前記電源電力により駆動して前記外部から無線により供給される第２の配線接続データを記憶する書き替え可能な第２の無線周波数識別タグと、
前記各配線端末部毎に又は前記各配線端末部に対応する前記配線接続部に、それぞれ装着され、非接触で前記外部から供給される前記電源電力により駆動して前記外部から無線により供給される第３の配線接続データを記憶する書き替え可能な第３の無線周波数識別タグと、
前記第１、第２及び第３の無線周波数識別タグに対して電波の送受信を行うアンテナを有し、前記配線接続部に対する前記配線端末部の着脱を行う配線着脱治具と、
前記アンテナに接続され、前記アンテナを介して前記第１、第２、第３の無線周波数識別タグに対して前記電源電力を非接触で供給すると共に、前記アンテナを介して無線により前記第１、第２、第３の無線周波数識別タグに対して前記第１、第２、第３の配線接続データの読み出し及び書き込みをそれぞれ行う携帯型のリーダライタと、
コンピュータシステムで構成され、前記リーダライタに対して無線により前記第１、第２及び第３の配線接続データの送受信を行い、前記第１、第２及び第３の配線接続データに基づき、前記配線盤における前記配線端末部の接続状態を管理する管理装置と、
を備えたことを特徴とする配線管理システム。
【請求項４】
請求項１〜３のいずれか１項に記載の配線管理システムにおいて、
複数台の前記配線盤と、前記複数台の配線盤における前記配線端末部の接続状態を管理する前記管理装置とを、１つの局内に設けたことを特徴とする配線管理システム。
【請求項５】
請求項１〜４のいずれか１項に記載の配線管理システムにおいて、
複数の局における各局内に前記配線盤及び前記管理装置がそれぞれ設けられ、
前記各局内の前記管理装置が通信ネットワークを介して、コンピュータシステムで構成された集中管理装置に接続され、
前記各局内の前記管理装置を前記集中管理装置により集中管理する構成にしたことを特徴とする配線管理システム。
【請求項６】
請求項１〜５のいずれか１項に記載の配線管理システムにおいて、
前記配線接続部は、コネクタ又は端子盤であることを特徴とする配線管理システム。
【請求項７】
請求項１〜６のいずれか１項に記載の配線管理システムにおいて、
前記配線は、光ファイバ又はメタル配線であることを特徴とする配線管理システム。
【発明の詳細な説明】
【技術分野】
【０００１】
本発明は、通信中継局、変電所、工場等に設けられ、複数の配線の端末部を相互に接続するための配線盤において、配線識別のために無線周波数識別（Radio Frequency Identification）タグ（以下「ＲＦＩＤタグ」という。）を使用して各配線の接続状態を管理する配線管理システムに関するものである。
【背景技術】
【０００２】
例えば、通信中継局、変電所、工場等に設けられる配線盤としては、主配線盤（Main Distribution Frame;以下「ＭＤＦ」という。）や、中間配線盤（Intermadiate Distribution Frame;以下「ＩＤＦ」という。）等がある。これらの配線盤により接続される配線にも、光ファイバやメタル配線等がある。
【０００３】
従来、配線盤やＲＦＩＤタグに関する技術としては、例えば、次のような文献に記載されるものがあった。
【０００４】
【特許文献１】実開平６−６９９０７号公報
【特許文献２】特開平１１−２３４７１０号公報
【特許文献３】特開平１１−２７７９６１号公報
【特許文献４】特開平１１−２７７９６３号公報
【特許文献５】特開平１１−１３４４６０号公報
【特許文献６】特開平１１−２３１７８２号公報
【０００５】
特許文献１には、光ファイバ用の配線盤（即ち、光配線盤）の技術が記載されている。この光配線盤では、筐体内に複数段の引き出し式のトレイを設け、これらの各トレイ内に、多数本の光ファイバの端末部を相互に接続するための光ファイバ接続部や光ファイバ余長部を収納することにより、配線接続作業等を容易にしている。
【０００６】
特許文献２には、電話交換機の配線盤等において配線コネクタの識別システムの技術が記載されている。従来の識別システムでは、コネクタにより接続された多数の配線の端末部にそれぞれ識別用タグを吊り下げてそれらの各配線の端末部に接続されたコネクタを識別しており、配線変更等の際にタグを見て対象となるコネクタの探索を行うので、探索に時間が掛かり、作業効率が低かった。そこで、この特許文献２の識別システムでは、従来のタグに代えて、コネクタ接続部の近傍に発光器を配置し、入力された配線情報に基づき、制御装置によって対象となる発光器を点灯させ、目的の配線を特定できるようにして、配線変更等の作業効率を向上させている。
【０００７】
特許文献３〜６には、ＩＣタグとも云われるＲＦＩＤタグの構造と使用例が記載されている。ＲＦＩＤタグは、電波を用いて非接触でデータの読み書きができるので、従来の識別ラベル（バーコード）等に代えて種々の用途に用いられつつある。
【０００８】
従来の配線管理システムにおいて、例えば、ＭＤＦやＩＤＦの配線盤内には、特許文献１等に記載されているように、端子盤が多数設けられている。この端子盤には、外線側からの配線（例えば、通信線）の端末部と、機器側への配線（例えば、通信線）の端末部とが接続されている。特許文献２等に記載されているように、端子盤に接続された配線の端末部には、この配線の行き先が分かるように、「丸札」や「示名条片」等の識別用タグが紐やバンドで取り付けられている。識別用タグには、配線の行き先を管理するために、例えば、「○○中継局」、「××制御装置」等と手書きで記されていたり、印刷テープが貼られている。そして、「端子配線表」等の配線管理表により、ＭＤＦやＩＤＦの配線盤毎に配線接続状態を管理している。
【発明の開示】
【発明が解決しようとする課題】
【０００９】
しかしながら、従来の配線管理システムでは、例えば、次の（１）〜（５）のような課題があった。
【００１０】
（１）  ＭＤＦやＩＤＦの配線盤により接続される配線の芯数は、場合によっては千芯以上にも及ぶ。このように芯数が極めて多い場合には、識別用タグの紐やバンドが他の識別用タグの紐やバンドと絡み合ったりして、識別用タグを整然と取り付けておくことが困難であった。そのため、配線交換や回線切り分けといった作業を作業者が行う場合には、目的の配線を探し出すことが困難であり、特に、配線交換作業や回線切り分け作業を多く行う場合にあっては、多くの時間が費やされるという問題があった。
【００１１】
（２）  前記（１）の問題を解決するために、特許文献２に記載されたような発光器を、各配線に対応して端子盤に多数設けることも考えられる。しかし、多数の発光器を端子盤に設けると、端子盤のサイズが大型化すると共に構造が複雑になり、更に、多数の発光器とこれらを点灯制御するための制御装置との間の信号線数が多くなり、これらの多数の信号線の引き回しが複雑化する等の新たな課題が生じる。
【００１２】
（３）  又、前記（１）の問題を解決するために、識別用タグに代えて、特許文献３〜６に記載されたようなＲＦＩＤタグを用いることも考えられる。しかし、多数の配線にそれぞれＲＦＩＤタグを取り付けた場合、これらのＲＦＩＤタグに記憶させる配線の行き先データ等の書き込み装置や読み出し装置等の構成をどのように具体化したら簡潔なシステムを構築できるのか、不明点が多く、多くの課題が生じる。
【００１３】
（４）  配線交換作業や回線切り分け作業を行う場合、これらの作業を行う度に配線管理表を更新して行くこととなるが、更新毎に作業日や、変更行き先名等を新たに記して行くと、配線管理表には修正履歴が多く残るため、後になって読み難くなったり、新たに書き記すスペースが無くなる等の問題があった。
【００１４】
（５）  前記（４）の問題を解決するために、配線管理表に代えて、コンピュータシステムを用いて配線管理を行うことも考えられる。コンピュータシステムを用いれば、配線管理が容易になる。しかし、配線盤が設置された現場で配線交換作業や回線切り分け作業を行う場合、通常は、コンピュータシステムにより印刷した配線管理表を現場に持ち込んで作業を行うことになるから、作業そのものは容易にならないという課題が残る。
【００１５】
本発明は、前記従来技術の課題を解決し、現場での配線交換作業や回線切り分け作業等が容易になり、更に配線管理が簡単且つ的確に行える配線管理システムを提供することを目的とする。
【課題を解決するための手段】
【００１６】
前記課題を解決するために、本発明の内の請求項１に係る発明の配線管理システムでは、複数の配線端末部を相互に着脱自在に接続する配線接続部が収納された配線盤と、前記各配線端末部毎に又は前記各配線端末部に対応する前記配線接続部に、それぞれ装着され、非接触で外部から供給される電源電力により駆動して前記外部から無線により供給される配線接続データを記憶する書き替え可能なＲＦＩＤタグと、前記ＲＦＩＤタグに対して電波の送受信を行うアンテナを有し、前記配線接続部に対する前記配線端末部の着脱を行う配線着脱治具と、前記アンテナに接続され、前記アンテナを介して前記ＲＦＩＤタグに対して前記電源電力を非接触で供給すると共に、前記アンテナを介して無線により前記ＲＦＩＤタグに対して前記配線接続データの読み出し及び書き込みを行う携帯型のリーダライタと、コンピュータシステムで構成され、前記リーダライタに対して無線により前記配線接続データの送受信を行い、前記配線接続データに基づき、前記配線盤における前記配線端末部の接続状態を管理する管理装置と、を備えている。
【００１７】
請求項２に係る発明の配線管理システムでは、筐体内に複数段のトレーが出し入れ自在に収納され、前記各トレー内に、複数の配線端末部を相互に着脱自在に接続する配線接続部がそれぞれ収納された配線盤と、前記各配線端末部毎に又は前記各配線端末部に対応する前記配線接続部に、それぞれ装着され、非接触で外部から供給される電源電力により駆動して前記外部から無線により供給される配線接続データを記憶する書き替え可能なＲＦＩＤタグと、前記ＲＦＩＤタグに対して電波の送受信を行うアンテナを有し、前記配線接続部に対する前記配線端末部の着脱を行う配線着脱治具と、前記アンテナに接続され、前記アンテナを介して前記ＲＦＩＤタグに対して前記電源電力を非接触で供給すると共に、前記アンテナを介して無線により前記ＲＦＩＤタグに対して前記配線接続データの読み出し及び書き込みを行う携帯型のリーダライタと、コンピュータシステムで構成され、前記リーダライタに対して無線により前記配線接続データの送受信を行い、前記配線接続データに基づき、前記配線盤における前記配線端末部の接続状態を管理する管理装置と、を備えている。
【００１８】
請求項３に係る発明の配線管理システムでは、筐体内に複数段のトレーが出し入れ自在に収納され、前記各トレー内に、複数の配線端末部を相互に着脱自在に接続する配線接続部がそれぞれ収納された配線盤と、前記配線盤に装着され、非接触で外部から供給される電源電力により駆動して前記外部から無線により供給される第１の配線接続データを記憶する書き替え可能な第１のＲＦＩＤタグと、前記各トレーにそれぞれ装着され、非接触で前記外部から供給される前記電源電力により駆動して前記外部から無線により供給される第２の配線接続データを記憶する書き替え可能な第２のＲＦＩＤタグと、前記各配線端末部毎に又は前記各配線端末部に対応する前記配線接続部に、それぞれ装着され、非接触で前記外部から供給される前記電源電力により駆動して前記外部から無線により供給される第３の配線接続データを記憶する書き替え可能な第３のＲＦＩＤタグと、前記第１、第２及び第３のＲＦＩＤタグに対して電波の送受信を行うアンテナを有し、前記配線接続部に対する前記配線端末部の着脱を行う配線着脱治具と、前記アンテナに接続され、前記アンテナを介して前記第１、第２、第３のＲＦＩＤタグに対して前記電源電力を非接触で供給すると共に、前記アンテナを介して無線により前記第１、第２、第３のＲＦＩＤタグに対して前記第１、第２、第３の配線接続データの読み出し及び書き込みをそれぞれ行う携帯型のリーダライタと、コンピュータシステムで構成され、前記リーダライタに対して無線により前記第１、第２及び第３の配線接続データの送受信を行い、前記第１、第２及び第３の配線接続データに基づき、前記配線盤における前記配線端末部の接続状態を管理する管理装置と、を備えている。
【００１９】
請求項４に係る発明の配線管理システムでは、請求項１〜３のいずれか１項の配線管理システムにおいて、複数台の前記配線盤と、前記複数台の配線盤における前記配線端末部の接続状態を管理する前記管理装置とを、１つの局内に設けている。
【００２０】
請求項５に係る発明の配線管理システムでは、請求項１〜４のいずれか１項の配線管理システムにおいて、複数の局における各局内に前記配線盤及び前記管理装置がそれぞれ設けられ、前記各局内の前記管理装置が通信ネットワークを介して、コンピュータシステムで構成された集中管理装置に接続され、前記各局内の前記管理装置を前記集中管理装置により集中管理する構成にしている。
【００２１】
請求項６に係る発明の配線管理システムでは、請求項１〜５のいずれか１項の配線管理システムにおいて、前記配線接続部は、コネクタ又は端子盤である。
【００２２】
請求項７に係る発明の配線管理システムでは、請求項１〜６のいずれか１項の配線管理システムにおいて、前記配線は、光ファイバ又はメタル配線である。
【発明の効果】
【００２３】
請求項１〜４、６、７に係る発明によれば、次の（Ａ）〜（Ｅ）のような効果がある。
【００２４】
（Ａ）  配線盤内から従来のような丸札等の識別用タグを無くすことにより、配線盤内を整然とさせることができる。
【００２５】
（Ｂ）  携帯型リーダライタにより、各ＲＦＩＤタグの配線データを容易に読み出すことができ、更に、その配線データの書き替えも容易に可能である。特に、配線交換時等において、最終的に配線着脱治具により目的の配線端末箇所を摘み、配線箇所の確認をするので、間違いが無い。
【００２６】
（Ｃ）  携帯型リーダライタを用いることにより、既設或いは高密度の配線架にも、容易に取り付けられ、配線交換作業等も容易になる。
【００２７】
（Ｄ）  管理装置により、各ＲＦＩＤタグの配線データを管理することができる。この際、各ＲＦＩＤタグに記憶するデータ量を少なくしても配線データの管理が可能であるので、各ＲＦＩＤタグ内の記憶容量の削減によって小型化、及び低コスト化が可能である。配線交換時等において、作業者が手順通りの作業を行ったか否かを、管理装置側で確認が可能である。
【００２８】
（Ｅ）  各ＲＦＩＤタグに書き込まれた配線データを、リーダライタで読み出して管理装置側へ転送し、その管理装置側に記憶されたデータベースと同期させて管理できる。そのため、配線データ変更時において、自動的にデータベースへも変更内容が反映されるので、管理データの整合性が保たれる。更に、目的の配線をデータベースにて、簡単に検索することができる。
【００２９】
請求項５に係る発明によれば、複数の局内の管理装置を集中管理装置により集中管理する構成にしたので、遠隔の集中管理装置から作業指令を出し、一元化された配線交換作業等の手順を確保でき、作業効率を大幅に向上させることができる。
【発明を実施するための最良の形態】
【００３０】
前記課題を解決するために、本発明の配線管理システムでは、配線盤と、第１、第２、第３のＲＦＩＤタグと、配線着脱治具と、携帯型のリーダライタと、管理装置とを備えている。
【００３１】
前記配線盤には、筐体内に複数段のトレーが出し入れ自在に収納され、前記各トレー内に、複数の配線端末部を相互に着脱自在に接続する配線接続部がそれぞれ収納されている。前記第１のＲＦＩＤタグは、前記配線盤に装着され、非接触で前記リーダライタから供給される電源電力により駆動して前記リーダライタから無線により供給される第１の配線接続データを記憶する書き替え可能なタグである。前記第２のＲＦＩＤタグは、前記各トレーにそれぞれ装着され、非接触で前記リーダライタから供給される前記電源電力により駆動して前記リーダライタから無線により供給される第２の配線接続データを記憶する書き替え可能なタグである。前記第３のＲＦＩＤタグは、前記各配線端末部毎に又は前記各配線端末部に対応する前記配線接続部に、それぞれ装着され、非接触で前記リーダライタから供給される前記電源電力により駆動して前記リーダライタから無線により供給される第３の配線接続データを記憶する書き替え可能なタグである。
【００３２】
前記配線着脱治具は、前記第１、第２及び第３のＲＦＩＤタグに対して電波の送受信を行うアンテナを有し、前記配線接続部に対する前記配線端末部の着脱を行うものである。前記リーダライタは、前記アンテナに接続され、前記アンテナを介して前記第１、第２、第３のＲＦＩＤタグに対して前記電源電力を非接触で供給すると共に、前記アンテナを介して無線により前記第１、第２、第３のＲＦＩＤタグに対して前記第１、第２、第３の配線接続データの読み出し及び書き込みをそれぞれ行う。前記管理装置は、コンピュータシステムで構成され、前記リーダライタに対して無線により前記第１、第２及び第３の配線接続データの送受信を行い、前記第１、第２及び第３の配線接続データに基づき、前記配線盤における前記配線端末部の接続状態を管理する。
【実施例１】
【００３３】
（構成）
図１は、本発明の実施例１を示す配線管理システムの概略の構成図である。図２（Ａ）、（Ｂ）、（Ｃ）は、図１中の配線盤の構成例を示す概略の構成図であり、同図（Ａ）は配線盤の外観の斜視図、同図（Ｂ）は配線盤内に収納されるトレーの一部を省略した斜視図、及び同図（Ｃ）はトレー内の配線接続部の拡大平面図である。更に、図３（Ａ）、（Ｂ）は、図１中の配線着脱治具の部分的な構成図であり、同図（Ａ）は図１中の配線着脱治具の先端中央部分を紙面に対して縦方向に切断したときの断面図、及び同図（Ｂ）は同図（Ａ）中のＩ−Ｉ線断面図である。
【００３４】
図１の配線管理システムは、中継局等に設けられ、光ファイバケーブル用の配線盤（例えば、ＩＤＦ）１０と、配線着脱治具３０とケーブル３９で接続された携帯型のリーダライタ４０と、このリーダライタ４０に無線（例えば、無線ローカルエリアネットワーク（以下「無線ＬＡＮ」という。）５９により接続された管理装置６０とを備えている。
【００３５】
配線盤１０は、配線ケーブル（例えば、多数の光ファイバ１１ａ，１１ｂ，・・・からなる外線側光ファイバケーブル１１）の多数の光ファイバ端末部と、配線ケーブル（例えば、多数の光ファイバ１２ａ，１２ｂ，・・・からなる機器側光ファイバケーブル１２）の多数の光ファイバ端末部とを、相互に接続する装置であり、装置全体を収納する筐体１３を有している。筐体１３は、正面側にトレー出し入れ用の開口部を有し、この開口部内に複数段のトレー１４，・・・が収納されている。各段のトレー１４，・・・は、例えば、図示しない支持部材により摺動自在に支持され、筐体１３の正面側開口部から挿入及び引き出しが可能な構造になっている。
【００３６】
各段のトレー１４の正面側の内部には、複数の光ファイバ端末部を相互に着脱自在に接続するための１つ又は複数の配線接続部（例えば、ＳＣ型の光コネクタ１５）がそれぞれ取り付けられ、この背面側に、光ファイバ１２ａ，１２ｂ，・・・の余長部分を収納する収納部１４ａが設けられている。光コネクタ１５の収納箇所は、配線交換等を容易に行えるように着脱自在のカバーで覆われているが、図２（Ｂ）では、内部構造を分かり易くするために図面上省略されている。
【００３７】
各光コネクタ１５は、トレー１４内に取り付けられたロッド状の光アダプタ支持部１５ａを有している。光アダプタ支持部１５ａには、この長手方向に対してほぼ直交する方向に、複数の光アダプタ１５ｂが配列されて装着されている。各光アダプタ１５ｂは、両端にプラグ挿入穴を有し、これらの一方のプラグ挿入穴に、外線側光ファイバ（例えば、１１ａ）の端末部に接続された光プラグ１５ｃが挿脱自在に挿入され、他方のプラグ挿入穴に、機器側光ファイバ（例えば、１２ａ）の端末部に接続された光プラグ１５ｄが挿脱自在に挿入され、これらの両光プラグ１５ｃ，１５ｄが相互に光結合するようになっている。
【００３８】
筐体１３の任意の位置（例えば、正面側開口部付近）には、配線盤識別用（架識別用）の第１のＲＦＩＤタグ２０−１が装着されると共に、各トレー１４の任意の位置（例えば、正面側）にも、トレイ識別用の第２のＲＦＩＤタグ２０−２が装着されている。更に、各光アダプタ１５ｂの一方のプラグ挿入穴に結合される光ファイバ（例えば、１１ａ）の端末部、或いはその一方及び他方の両プラグ挿入穴に結合される光ファイバ（例えば、１１ａ，１２ａ）の端末部には、配線端末部識別用の第３のＲＦＩＤタグ２０−３がそれぞれ装着されている。各ＲＦＩＤタグ２０−１，２０−２，２０−３は、非接触で外部から供給される電源電力により駆動して外部から無線により供給される配線接続データを記憶する書き替え可能なタグである。
【００３９】
配線着脱治具３０は、配線交換等を行う際に目的の光プラグ（例えば、１５ｃ）を挟持して光アダプタ１５ｂに対する挿脱を行う着脱工具であり、手で握る把持部材３１を有し、この把持部材３１に、光ファイバ端部及び光プラグ（例えば、１５ｃ）を収容するための断面ほぼコ字状で且つレール状をなす収容部材３２が取り付けられている。収容部材３２の先端側における対向する両側壁には、開口部３２ａがそれぞれ形成されている。更に、収容部材３２の先端側寄りに一対の軸３３−１，３３−２が設けられ、この各軸３３−１，３３−２に、一対の操作レバー３４−１，３４−２の先端側寄りが回動自在に取り付けられている。
【００４０】
各操作レバー３４−１，３４−２は、各軸３３−１，３３−２から先端側に延びるプラグ挟持部３４−１ａ，３４−２ａと、その各軸３３−１，３３−２から後端側に延びる操作部３４−１ｂ，３４−２ｂとを有している。各プラグ挟持部３４−１ａ，３４−２ａの先端部分は、互いに対向するように内側に折り曲げられており、図示しないばね力により内側の閉じる方向に付勢されて、収容部材３２の開口部３２ａ，３２ａをそれぞれ貫通している。光プラグ（例えば、１５ｃ）の挿脱を行う場合、手で操作部３４−１ｂ，３４−２ｂを閉じてプラグ挟持部３４−１ａ，３４−２ａの先端部分を外側に開いた状態で、収容部材３２の先端側をその光プラグ１５ｃに被せた後、操作部３４−１ｂ，３４−２ｂを開けば、そのプラグ挟持部３４−１ａ，３４−２ａの先端部分により光プラグ１５ｃが挟持されるので、該光プラグ１５ｃの挿脱が行える。
【００４１】
収容部材３２内にはアンテナ３５が装着され、このアンテナ３５によって光プラグ１５ｃ側のＲＦＩＤタグ２０−３、或いは他のＲＦＩＤタグ２０−１，２０−２との間で電波の送受信を行うようになっている。アンテナ３５は、ケーブル３９によって携帯型のリーダライタ４０に接続されている。
【００４２】
リーダライタ４０は、アンテナ３５を介して各ＲＦＩＤタグ２０−１，２０−２，２０−３に対して電源電力を非接触で供給すると共に、アンテナ３５を介して無線により各ＲＦＩＤタグ２０−１，２０−２，２０−３に対して配線接続データの読み出し及び書き込みをそれぞれ行う装置であり、携帯通信端末（ＰＤＡ）等で構成されている。リーダライタ４０は、液晶画面等の表示部４１を有し、この表示部４１にデータを表示すると共に、ペン４２を用いて該表示部４１からデータ等を入力できるようになっている。更に、リーダライタ４０には、無線ＬＡＮ５９を介して管理装置６０との間で送受信を行う無線通信部（例えば、無線ＬＡＮカード４３）が着脱自在に装着されている。
【００４３】
管理装置６０は、リーダライタ４０に対して無線ＬＡＮ５９により配線接続データの送受信を行い、この配線接続データに基づき、配線盤１０における光ファイバ１１ａ，１１ｂ，１２ａ，１２ｂ，・・・の端末部の接続状態を管理する装置であり、コンピュータシステムで構成されている。
【００４４】
図４は、図１中の各ＲＦＩＤタグ２０−１，２０−２，２０−３の構成例を示す回路図である。
【００４５】
各ＲＦＩＤタグ２０−１，２０−２，２０−３は、同一の構成である。例えば、ＲＦＩＤタグ２０−３は、半導体集積回路（以下「ＩＣ」という。）チップ２１と、これに接続されたコイル状のアンテナ２２とで構成されている。ＩＣチップ２１は、ＥＥＰＲＯＭ（Electrically Erasable Programmable Read Only Memory）等の電気的に書き込み可能な不揮発性メモリからなる記憶部２１ａと、アンテナ２２で受信した電波から直流電力を生成してＩＣチップ２１内に供給する電源部２１ｂと、アンテナ２２に対する送信信号の送受信を行う送受信部２１ｃとを有している。
【００４６】
このＲＦＩＤタグ２０−３では、リーダライタ４０のアンテナ３５との間で電波によって通信し、データの授受を行う。通信手順としては、例えば、ＲＦＩＤタグ２０−３内のアンテナ２２がリードライタ４０からの電波を受信すると、そのアンテナ２２部分に、電磁誘導等による共振作用によって起電力が発生する。この起電力は、電源部２１ｂにより直流電力に変換され、ＩＣチップ２１内に供給されるので、ＩＣチップ２１が起動する。ＩＣチップ２１が起動すると、記憶部２１ａに記憶されたデータが読み出され、このデータが送受信部２１ｃで変調されて送信信号が生成され、アンテナ２２から送出される。この送信信号は、リーダライタ４０側のアンテナ３５で受信されて復調され、認識等のデータ処理が行われる。又、リーダライタ４０側のデータが送信信号の形でアンテナ３５から送出されると、これがＲＦＩＤタグ２０−３のアンテナ２２で受信されて送受信部２１ｃで復調され、送られてきたデータが記憶部２１ａに書き込まれるようになっている。
【００４７】
これらのＲＦＩＤタグ２０−１〜２０−３には、配線盤（ＩＤＦ）番号、端子番号、ＲＦＩＤ番号、線路情報（例えば、相模原中継局、制御機器室等）、データ更新履歴（例えば、日付、時間）等といった所望の配線接続データが記憶される。
【００４８】
図５は、図１中のリーダライタ４０の構成例を示す回路図である。
【００４９】
このリーダライタ４０は、管理装置６０からの制御により、各ＲＦＩＤ２０−１，２０−２，２０−３に対してデータの読み書き（アクセス）を行う装置であり、信号の伝送を行うバス４４を有している。バス４４には、データの表示とデータの入力を行う表示部４１、無線ＬＡＮカード４３、装置全体をプログラム制御する中央処理装置（以下「ＣＰＵ」という。）等の制御部４５、プログラムを記憶するＲＯＭ（Read Only Memory）等のプログラム記憶部４６、データを記憶するＲＡＭ（Random Access Memory）等のデータ記憶部４７、及び送受信部４８が接続されている。
【００５０】
送受信部４８には、アンテナ３５が接続されると共に、直流電力を供給する電池からなる電源部４９が接続されている。送受信部４８は、制御部４５の制御により、送信データ及び直流電力を変調して送信信号をアンテナ３５から送出させると共に、アンテナ３５で受信した受信信号を復調して制御部４５等に与える機能を有している。
【００５１】
図６は、図１中の管理装置６０の構成例を示す回路図である。
【００５２】
管理装置６０は、コンピュータシステムにより構成され、信号伝送用のバス６１を有している。バス６１には、装置全体をプログラム制御するＣＰＵからなる制御部６２、プログラムを記憶するＲＯＭからなるプログラム記憶部６３、ワーキングデータ等を記憶するＲＯＭからなるデータ記憶部６４、及び配線接続データ等を記憶する大容量のハードディスク装置等の外部記憶装置６５が接続されている。バス６１には、更に、データ等を入力するキーボード、マウス等の入力部６６、データ等を表示する液晶表示装置等の表示部６７、プリンタ等を接続する入／出力ポート６８、及び無線ＬＡＮ５９を介してリーダライタ４０との間で信号の送受信を行う無線通信部６９が接続されている。この管理装置６０には、その他、電源装置等の任意の装置が設けられている。
【００５３】
（配線入れ替え作業手順例）
図７〜図９は、配線入れ替え作業手順例を示す図である。
【００５４】
例えば、架Ｎｏ．１の配線盤１０におけるトレイ番号１のトレー１４内のアダプタ番号５の光アダプタ１５ｂを、トレイ番号３のトレー１４内のアダプタ番号８の光アダプタ１５ｂへ配線の入れ替えを行う作業手順について説明する。
【００５５】
先ず、図７において、作業者は、管理装置６０の入力部６６を操作して交換する光アダプタ１５ｂのデータ（入れ替え対象の配線盤番号；架Ｎｏ．１、入れ替え元のトレイ番号；１、入れ替え元のアダプタ番号；５、入れ替え先のトレイ番号；３、入れ替え先のアダプタ番号；８）を入力する。なお、入力部６６による入力に代えて、遠隔操作で、図示しない管理サーバ等から入力することも可能である。
【００５６】
光アダプタ１５ｂのデータが入力されると、制御部６２の制御により、外部記憶装置６５に記憶された当該光アダプタ１５ｂに関する接続データが読み出され、この接続データの一覧表（例えば、配線盤番号（架番号）、トレイ番号、アダプタ番号、外線側接続先、機器側接続先、更新日付等）と、当該光アダプタ箇所の画像とが、表示部６７に表示される。これらの光アダプタ１５ｂの交換データに関する信号は、制御部６２の制御により、無線通信部６９で変調され、無線ＬＡＮ５９を介してリーダライタ４０へ転送される。リーダライタ４０側では、制御部４５の制御により、送られてきた交換データに関する信号が無線ＬＡＮカード４３で受信されて変調され、データ記憶部４７に記憶される。
【００５７】
図８において、上記の作業者又は他の作業者は、リーダライタ４０に対してペン４２等を用いて読み出し操作を行う。すると、リーダライタ４０では、制御部４５の制御により、データ記憶部４７に記憶された光アダプタ１５ｂに関する交換データ（入れ替え対象の配線盤番号；架Ｎｏ．１、入れ替え元のトレイ番号；１、入れ替え元のアダプタ番号；５、入れ替え先のトレイ番号；３、入れ替え先のアダプタ番号；８）が読み出され、表示部４１に表示される。作業者は、リーダライタ４０の表示部４１に表示された架Ｎｏ．１の配線盤１０の設置場所へ行き、この配線盤１０の正面側開口部付近に装着された配線盤識別用のＲＦＩＤタグ２０−１に、配線着脱治具３０のアンテナ３５を近づける。
【００５８】
リーダライタ４０内の電源部４９から供給された電源電力は、送受信部４８で変調されて送信信号に変換され、アンテナ３５から送出される。この送信信号は、ＲＦＩＤタグ２０−１内のアンテナ２２で受信され、送受信部２１ｃで復調されて電源部２１ｂで直流電力に変換され、ＩＣチップ２１内に供給されて該ＩＣチップ２１が起動する。ＩＣチップ２１が起動すると、記憶部２１ａに記憶された配線盤データ（架Ｎｏ．１）が読み出され、送受信部２１ｃで変調されて送信信号に変換され、アンテナ２２から送出される。
【００５９】
アンテナ２２から送出された送信信号は、配線着脱治具３０側のアンテナ３５で受信されて送受信部４８で復調される。復調された読み込み配線盤データ（読み込み架Ｎｏ．１）は、表示部４１に表示されると共に、制御部４５により、前記の交換データ（対象架Ｎｏ．１）と一致するか否かが比較され、この比較結果が表示部４１に表示される。作業者が表示部４１を見てその一致を確認し、この確認結果をペン４２等により表示部４１に入力すると、入力された確認結果のデータが、無線ＬＡＮカード４３及び無線ＬＡＮ５９を介して管理装置６０へ送信され、作業のログとして残る（即ち、外部記憶装置６５に記憶される）。
【００６０】
図９において、作業者は、入れ替え元のトレイ番号１のトレイ１４を引き出し、このトレイ１４の正面側に装着されたトレイ識別用のＲＦＩＤタグ２０−２に、配線着脱治具３０側のアンテナ３５を近づける。すると、上記と同様にして、ＲＦＩＤタグ２０−２に記憶されたデータ（トレイ番号１）がリーダライタ４０に読み込まれ、表示部４１に表示されると共に、制御部４５により、対象トレイ番号１と一致するか否かが比較される。作業者が一致状態を確認すると、この確認データが管理装置６０側にも送信され、作業のログとして残る。
【００６１】
作業者は、リーダライタ４０の表示部４１に表示されたアダプタ番号５、光アダプタ１５ｂに表示されたアダプタ番号５、或いは光アダプタ１５ｂの近傍に表示されたアダプタ番号５を参考にして、対象トレイ番号１のトレイ１４内におけるアダプタ番号５の光アダプタ１５ｂに接続された光プラグ１５ｃを探し、配線着脱治具３０に設けられた操作レバー３４−１，３４−２の先端のプラグ挟持部３４−１ａ，３４−２ａでその光プラグ１５ｃを摘む。光プラグ１５ｃに接続された光ファイバ１１ａの端部には、配線端末部識別用のＲＦＩＤタグ２０−３が装着されているので、該光プラグ１５ｃをプラグ挟持部３４−１ａ，３４−２ａで摘むと、配線着脱治具３０側のアンテナ３５が該ＲＦＩＤタグ２０−３の近傍に位置することになる。
【００６２】
すると、上記と同様にして、ＲＦＩＤタグ２０−３に記憶されたデータ（アダプタ番号５）がリーダライタ４０に読み込まれ、表示部４１に表示されると共に、制御部４５により、対象アダプタ番号５と一致するか否かが比較される。作業者が一致状態を確認して光プラグ１５ｃを抜き取ると、その確認データが管理装置６０側にも送信され、作業のログとして残る。
【００６３】
同様にして、入れ替え先のトレイ番号３のトレイ１４を探し、更に、このトレイ１４内に取り付けられた入れ替え先のアダプタ番号８の光アダプタ１５ｂを探し、これに接続された光プラグ１５ｃを抜き取る。そして、アダプタ番号５に接続された光プラグ１５ｃと、アダプタ番号８に接続された光プラグ１５ｃとを、入れ替えて接続する。これにより、配線の入れ替え作業が終了し、この入れ替え結果が管理装置６０へ送信されて外部記憶装置６５に記憶される。
【００６４】
（効果等）
この実施例１では、  次の（１）〜（６）のような効果等がある。
【００６５】
（１）  配線盤１０内から従来のような丸札等の識別用タグを無くすことにより、配線盤１０内を整然とさせることができる。
【００６６】
（２）  携帯型のリーダライタ４０により、各ＲＦＩＤタグ２０−１〜２０−３の配線データを容易に読み出すことができ、更に、その配線データの書き替えも容易に可能である。特に、配線交換時等において、最終的に配線着脱治具３０で目的の光ファイバ端末部の光プラグ１５ｃを摘み、配線箇所の確認をするので、間違いが無い。
【００６７】
（３）  携帯型のリーダライタ４０を用いることにより、既設或いは高密度の配線架にも、容易に取り付けられ、配線交換作業等も容易になる。又、リーダライタを常設型にし、これをケーブルで管理装置６０に接続する構成にした場合に比べて、本実施例１のように携帯型のリーダライタ４０を用いた構成にすることにより、各架毎にリーダライタの設置がいらないので、低コスト化が可能になる。
【００６８】
（４）  管理装置６０により、各ＲＦＩＤタグ２０−１〜２０−３の配線データを管理することができる。この際、各ＲＦＩＤタグ２０−１〜２０−３に記憶するデータ量を少なくしても配線データの管理が可能であるので、各ＲＦＩＤタグ２０−１〜２０−３内の記憶容量の削減によって小型化、及び低コスト化が可能である。配線交換時等において、作業者が手順通りの作業を行ったか否かを、管理装置６０側で確認が可能である。
【００６９】
（５）  各ＦＲＩＤタグ２０−１〜２０−３に書き込まれた配線データを、リーダライタ４０で読み出して管理装置６０側へ転送し、外部記憶装置６５等に記憶されたデータベースと同期させて管理している。そのため、配線データ変更時において、自動的にデータベースへも変更内容が反映されるので、管理データの整合性が保たれる。更に、目的の配線をデータベースにて、簡単に検索することができる。
【００７０】
（６）  図１では、１台の配線盤１０を設けた例を説明しているが、複数台の配線盤１０，・・・を設け、これらの配線状態を１台の管理装置６０で管理することも当然可能である。
【実施例２】
【００７１】
図１０は、本発明の実施例２を示す配線の集中管理システムの概略の構成図である。
【００７２】
この配線の集中管理システムでは、複数の配線盤収容局１００−１，１００−２，１００−３，１００−４，・・・が通信ネットワーク１１０で結ばれ、それらの複数の配線盤収容局１００−１，・・・が、通信ネットワーク１１０に接続された管理センタ１２０により集中管理されるようになっている。
【００７３】
各配線盤収容局１００−１，・・・内には、図１に示すような配線盤１０が１台又は複数台設置され、これらが各１台の管理装置６０によってそれぞれ配線管理されるようになっている。各配線盤収容局１００−１，・・・内に設けられた管理装置６０は、通信ネットワーク１１０により接続されている。管理センタ１２０内に設けられた集中管理装置１２１は、管理サーバ等のコンピュータシステムで構成され、通信ネットワーク１１０に接続されている。
【００７４】
このような構成では、予め遠隔の管理センタ１２０から、交換配線データ等を通信ネットワーク１１０を介して各配線盤収容局１００−１，・・・内の管理装置６０へ転送しておき、各配線盤収容局１００−１，・・・内で実施例１のような手順通り配線交換作業等をさせることが可能である。よって、遠隔の管理センタ１２０から作業指令を出し、一元化された配線交換作業等の手順を確保でき、作業効率を大幅に向上させることができる。
【実施例３】
【００７５】
図１１は、本発明の実施例３を示す他のＳＣ２型の光コネクタの部分的な構成図である。
【００７６】
このＳＣ２型の光コネクタ１６は、図２（Ｃ）のＳＣ型の光コネクタ１５に代えて、図２（Ｂ）のトレー１４内に設けられるものである。ＳＣ２型のコネクタ１６は、ロッド状のレセプタクル１６ａを有し、このレセプタクル１６ａの対向する両側面に、複数対のプラグ挿入穴が設けられている。各対のプラグ挿入穴には、各光ファイバ１１ａ，１２ａ，・・・の端末部に接続された各光プラグ１６ｂ，１６ｃ，・・・がそれぞれ挿入される。
【００７７】
このような光コネクタ１６を設けた場合、これに適合する構造のアンテナ付き配線着脱治具を用いて光プラグ１６ｂ，１６ｃ，・・・の着脱を行うようにすれば、実施例１とほぼ同様の作用、効果が得られる。又、ＳＣ２型の光コネクタ１６に代えて、その他の形状の光コネクタを用いても良い。
【実施例４】
【００７８】
図１２は、本発明の実施例４を示す他の配線着脱治具の部分的な構成図である。
【００７９】
この配線着脱治具３０Ａでは、図１の配線着脱治具３０において、収納部材３２内に設けられるアンテナ３５の他に、配線盤識別用のＲＦＩＤタグ２０−１及びトレー識別用のＲＦＩＤタグ２０−２に対応するアンテナ３６を把持部材３１内に埋設している。把持部材３１に設けたアンテナ切り替え用のスイッチ３７を切り替えることにより、配線端末部識別用のＲＦＩＤタグ２０−３に対してアンテナ３５を使用し、配線盤識別用のＲＦＩＤタグ２０−１及びトレー識別用のＲＦＩＤタグ２０−２に対して他のアンテナ３６を使用する。
【００８０】
このような構成にすれば、ＲＦＩＤタグ形状に応じてより的確に電波の送受信が行える。又、配線着脱治具３０Ａに代えて、その他の形状や構造の配線着脱治具を用いても良い。
【実施例５】
【００８１】
本発明は、上記実施例に限定されず、種々の変形が可能である。この変形例である実施例５としては、例えば、次の（ａ）〜（ｄ）のようなものがある。
【００８２】
（ａ）  配線盤１０及びトレー１４は、図２以外の構造に変更できる。
【００８３】
（ｂ）  ＲＦＩＤタグ２０−１〜２０−３は、図４以外の回路構成に変更でき、その形状もラベル形、筒形、スリット付き筒形、リング形、スリット付きリング形、小片形等の種々のものを採用できる。又、この  ＲＦＩＤタグ２０−１〜２０−３の装着位置は、図１及び図２以外の箇所に取り付けても良い。例えば、配線端末部識別用のＲＦＩＤタグ２０−３は、光ファイバ端末部に装着しているが、これに代えて、光プラグ１５ｃ，１５ｄ、光アダプタ１５ｂ、光アダプタ支持部材１５ａ、或いはレセプタクル１６ａの外面又は内部に設けても良い。
【００８４】
（ｃ）  リーダライダ４０や管理装置６０は、図５や図６以外の回路構成に変更しても良い。
【００８５】
（ｄ）  図１では、配線として光ファイバケーブル１１，１２及び光ファイバ１１ａ，１１ｂ，１２ａ，１２ｂを用いた例を説明したが、これに代えて、メタル配線等を使用する場合にも適用できる。メタル配線の場合には、配線接続部として図示以外の形状や構造のコネクタ、或いは端子盤等を使用すれば良い。
【図面の簡単な説明】
【００８６】
【図１】本発明の実施例１を示す配線管理システムの概略の構成図である。
【図２】図１中の配線盤の概略の構成図である。
【図３】図１中の配線着脱治具の部分図である。
【図４】図１中のＲＦＩＤタグの回路図である。
【図５】図１中のリーダライタの回路図である。
【図６】図１中の管理装置の回路図である。
【図７】図１の配線管理システムにおける配線入れ替え作業手順を示す図である。
【図８】図１の配線管理システムにおける配線入れ替え作業手順を示す図である。
【図９】図１の配線管理システムにおける配線入れ替え作業手順を示す図である。
【図１０】本発明の実施例２を示す配線の集中管理システムの概略の構成図である。
【図１１】他の光コネクタの部分的な構成図である。
【図１２】他の配線着脱治具の部分的な構成図である。
【符号の説明】
【００８７】
１０      配線盤
１１，１２      光ファイバケーブル
１３      筐体
１４      トレー
１５，１６      光コネクタ
２０−１〜２０−３      ＲＦＩＤタグ
３０，３０Ａ      配線接続治具
３５      アンテナ
４０      携帯型リーダライタ
６０      管理装置
１００−１〜１００−４      配線盤収容局
１１０      通信ネットワーク
１２０      管理センタ
１２１      集中管理装置
【図１】
2005204412.tif 000003
【図２】
2005204412.tif 000004
【図３】
2005204412.tif 000005
【図４】
2005204412.tif 000006
【図５】
2005204412.tif 000007
【図６】
2005204412.tif 000008
【図７】
2005204412.tif 000009
【図８】
2005204412.tif 000010
【図９】
2005204412.tif 000011
【図１０】
2005204412.tif 000012
【図１１】
2005204412.tif 000013
【図１２】
2005204412.tif 000014